(57)【要約】【課題】容易に開けることができず、また、容易に鍵を取り替えることができる鍵構造を提供すること。【解決手段】閂１０４と、軸部材１０９に回動自在に取り付けられている回動部材１１０と、を備え、回動部材１１０には、閂１０４に引っかかる回転用突起１１１が形成されており、軸部材１０９を中心として回動部材１１０を回転させることにより閂１０４を第二の壁部材１０２から突出する第一の位置と第二の壁部材１０２から突出していない第二の位置とに移動させることができるようにした鍵構造１００であって、一方の端面には回動部材１１０に嵌合することができる回転部材用嵌合部１１５ａを形成し、他方の端面には鍵１１６を挿入することができる鍵穴１１４を形成した連結部材１１３を有し、鍵１１６を鍵穴１１４に挿入し、連結部材１１３を回動させることで、回動部材１１０を回動させることができるようにしたことを特徴とする鍵構造１００を提供する。【選択図】　図１
2004124463.tif 000002
【特許請求の範囲】
【請求項１】
第一の壁部材と、
前記第一の壁部材に対して垂直に形成されている第二の壁部材と、
前記第一の壁部材に摺動自在に取り付けられ、前記第一の壁部材に対して水平方向であって、前記第二の壁部材に対して垂直方向に移動させることができる閂と、
前記第一の壁部材から前記第二の壁部材と同一方向に突出している軸部材と、
前記軸部材に回動自在に取り付けられている回動部材とを備え、
前記回動部材は、前記閂に引っかかる突起部が形成されており、前記軸部材を中心として前記回動部材を一の方向に回転させることにより前記閂を前記第二の壁部材から突出する第一の位置に移動させ、逆の方向に回転させることにより前記閂を前記第二の壁部材から突出していない第二の位置に移動させることができるようにした鍵構造であって、
一方の端面には前記回動部材に嵌合することができる回動部材用嵌合部を形成し、他方の端面には鍵を挿入することができる鍵穴を形成した連結部材を有し、前記鍵を前記鍵穴に挿入し、前記連結部材を回動させることにより、前記回動部材を回動させることができるようにしたことを特徴とする鍵構造。
【請求項２】
前記連結部材は取り外し自在に設けられていることを特徴とする請求項１に記載の鍵構造。
【請求項３】
第一の壁部材と、
前記第一の壁部材に対して垂直に形成されている第二の壁部材と、
前記第一の壁部材に摺動自在に取り付けられ、前記第一の壁部材に対して水平方向であって、前記第二の壁部材に対して垂直方向に移動させることができる閂と、
前記第一の壁部材から前記第二の壁部材と同一方向に突出している軸部材と、を備える鍵構造、
一方の端面には、前記軸部材に回動自在に取り付けることができる軸部材用嵌合部を形成し、他方の端面には、鍵を挿入することができる鍵穴を形成した連結部材を有し、
前記連結部材には、前記閂に引っかかる突起部を形成することにより、前記鍵穴に鍵を挿入し、前記軸部材を中心として前記連結部材をその軸線の回りに一の方向に回転させることで、前記閂を前記第二の壁部材から突出する第一の位置に移動させ、逆の方向に回転させることにより前記閂を前記第二の壁部材から突出していない第二の位置に移動させることができるようにしたことを特徴とする鍵構造。
【請求項４】
前記連結部材は取り外し自在に設けられていることを特徴とする請求項３に記載の鍵構造。
【発明の詳細な説明】
【０００１】
【発明の属する技術分野】
本発明は、鍵構造に関する。特に、家具に用いられる鍵構造に関する。
【０００２】
【従来の技術】
従来の鍵構造、特に家具に使用される鍵構造としては、図３に表されているように、第一の壁部材３０１と、第一の壁部材３０１に対して垂直に形成されている第二の壁部材３０２と、この第一の壁部材３０１に摺動自在に取り付けられ、この第一の壁部材３０１に対して水平方向であって、第二の壁部材３０２に対して垂直方向、即ち、図３のＤ・Ｄ’の方向に移動させることができる閂３０４と、第一の壁部材３０１から第二の壁部材３０２と同一方向に突出している軸部材３０９と、軸部材３０９に回動自在に取り付けられている回動部材３１０とを備えているものが知られていた。
【０００３】
そして、回動部材３１０には、閂３０４に引っかかる突出部３１１が設けられており、軸部材３０９を中心として回動部材３１０を一の方向、即ち、図３のＥ方向に回転させることにより閂３０４を、第二の壁部材３０２の閂用貫通孔３０２ａを介して、この第二の壁部材３０２から突出する第一の位置に移動させ、逆の方向、即ち、図３のＥ’方向に回転させることにより閂３０４を第二の壁部材３０２から突出していない第二の位置に移動させることができるようにしており、このような回動部材３１０に、図３に表されているような、先端部３１６ａを二股に形成した鍵３１６を引っ掛けて、この回動部材３１０を回動させることで、閂３０４を動かすようにしていた。
【０００４】
【発明が解決しようとする課題】
しかしながら、従来の鍵構造では、回動部材に引っ掛けることができるものであれば、容易に閂を動かして、鍵を開けることができてしまう。
【０００５】
また、鍵を取り替える場合には、鍵構造全体を取り替えなければならなかった。
【０００６】
そこで、本発明は、容易に開けることができない鍵構造を提供し、また、容易に鍵を取り替えることができる鍵構造を提供することを目的とする。
【０００７】
【課題を解決するための手段】
以上の課題を解決するため、本発明の第一の発明は、第一の壁部材と、前記第一の壁部材に対して垂直に形成されている第二の壁部材と、前記第一の壁部材に摺動自在に取り付けられ、前記第一の壁部材に対して水平方向であって、前記第二の壁部材に対して垂直方向に移動させることができる閂と、前記第一の壁部材から前記第二の壁部材と同一方向に突出している軸部材と、前記軸部材に回動自在に取り付けられている回動部材とを備え、前記回動部材は、前記閂に引っかかる突起部が形成されており、前記軸部材を中心として前記回動部材を一の方向に回転させることにより前記閂を前記第二の壁部材から突出する第一の位置に移動させ、逆の方向に回転させることにより前記閂を前記第二の壁部材から突出していない第二の位置に移動させることができるようにした鍵構造であって、一方の端面には前記回動部材に嵌合することができる回動部材用嵌合部を形成し、他方の端面には鍵を挿入することができる鍵穴を形成した連結部材を有し、前記鍵を前記鍵穴に挿入し、前記連結部材を回動させることにより、前記回動部材を回動させることができるようにしたことを特徴とする鍵構造を提供する。
【０００８】
第一の壁部材と、第二の壁部材とは、各々が垂直になるように形成されている。
【０００９】
第一の壁部材に摺動自在に取り付けられている閂は、第一の壁部材に対しては、水平方向であって、第二の壁部材に対しては、垂直方向に移動させることができるようにされている。
【００１０】
また、第一の壁部材には、第二の壁部材が突出している方向と同一の方向に凸となるように突出している軸部材が設けられており、この軸部材には回動部材が回動自在に取り付けられている。
【００１１】
そして、この回動部材には、閂に引っかかる突起部が形成されており、軸部材を中心として回動部材を一の方向に回転させることにより、この突起部が閂に引っかかり、閂を第二の壁部材から突出する第一の位置に移動させることができるようにし、また、回動部材を逆の方向に回転させることにより、この突起部が閂に引っかかり、閂を第二の壁部材から突出していない第二の位置に移動させることができるようにしている。
【００１２】
そして、本発明では、一方の端面には、前記回動部材に嵌合する回動部材用嵌合部を形成し、他方の端面には、鍵を挿入することができる鍵穴を形成した連結部材を有しており、鍵をこの鍵穴に挿入することで、連結部材を回動させることができるようになり、この連結部材を回動させることで、連結部材の一方の端面が嵌合している回動部材を回動させることができるようにしている。
【００１３】
なお、この連結部材については、取り外し自在とすることにより、連結部材を変更して、これに形成されている鍵穴に挿入する鍵を変更することができるようにすることもできる。
【００１４】
本発明の第二の発明は、第一の壁部材と、前記第一の壁部材に対して垂直に形成されている第二の壁部材と、前記第一の壁部材に摺動自在に取り付けられ、前記第一の壁部材に対して水平方向であって、前記第二の壁部材に対して垂直方向に移動させることができる閂と、前記第一の壁部材から前記第二の壁部材と同一方向に突出している軸部材と、を備える鍵構造であって、一方の端面には、前記軸部材に回動自在に取り付けることができる軸部材用嵌合部を形成し、他方の端面には、鍵を挿入することができる鍵穴を形成した連結部材を有し、前記連結部材には、前記閂に引っかかる突起部を形成することにより、前記鍵穴に鍵を挿入し、前記軸部材を中心として前記連結部材をその軸線の回りに一の方向に回転させることで、前記閂を前記第二の壁部材から突出する第一の位置に移動させ、逆の方向に回転させることにより前記閂を前記第二の壁部材から突出していない第二の位置に移動させることができるようにしたことを特徴とする鍵構造を提供する。
【００１５】
本発明の第二の発明では、上述の第一の発明が、閂を移動させる突起部を第一の壁部材に設けられている軸部材に取り付けているのに対して、連結部材に突起部を取り付けて、この連結部材を軸部材に対して回動自在に取り付けるようにしている。
【００１６】
なお、この連結部材については、軸部材に対して取り外し自在とすることにより、連結部材を取り替え、この連結部材に形成されている鍵穴に挿入する鍵を取り替えることができるようにすることも可能である。
【００１７】
【発明の実施の形態】
図１は、本発明の第一の実施形態に係る鍵構造１００の分解斜視図である。
【００１８】
鍵構造１００は、第一の壁部材１０１と第一の壁部材１０１に対して垂直に形成されている第二の壁部材１０２を有している。
【００１９】
第一の壁部材１０１と第二の壁部材１０２とは、垂直になるように形成されていればよく、例えば、一枚の板状部材を垂直に折曲げることにより形成してもよく、第一の壁部材１０１と第二の壁部材１０２とを個別の板状部材で形成し、これらを溶接等により接着してもよい。
【００２０】
第一の壁部材１０２には、第二の壁部材１０２が突出している方向と同一の方向、即ち、図１のＡ方向に突出するように、係止用突起１０３が形成されている。
【００２１】
閂１０４には、係止用突起１０３を挿入するための係止用空洞部１０５が設けられており、係止用空洞部１０５に第一の壁部材１０２に設けられている係止用突起１０３を挿入し、閂１０４がこの係止用突起１０３から外れないように係止用カバー１０８を閂１０４の上から係止用突起１０３に嵌め込んでいる。
【００２２】
ここで、係止用突起１０３を設ける位置については、閂１０４に設けられている係止用空洞部１０５の位置に係止用突起１０３が位置するように設ける必要がある。
【００２３】
また、係止用空洞部１０５の形状については、後述する軸部材１０９が設けられている位置に対して凸となるような凸状部１０７を設けておき、また、係止用突起１０３と閂１０４にバネ１０６を設け、閂１０４を後述する軸部材１０９の方向、図１ではＢ方向に、付勢することにより、閂１０４を、第一の壁部材１０１に対しては水平方向であって、第二の壁部材１０２に対しては垂直方向、図１ではＤ・Ｄ’方向に閂１０４を動かす際に、この凸状部１０７が係止用突起１０３に引っかかり、閂１０４の動きをロックすることができるようになる。
【００２４】
即ち、軸部材１０９の方向（図１のＢ方向）に付勢されている閂１０４を、第一の壁部材１０１に対しては水平方向であって、第二の壁部材１０２に対しては垂直方向、即ち、図１でのＤ・Ｄ’方向に動かす場合には、軸部材１０９の方向（図１のＢ方向）に凸となっている凸状部１０７を係止用突起１０３が乗り越えるように軸部材１０９の方向（図１のＢ方向）とは逆の方向に閂１０４を押し戻す必要があり、単に閂１０４を図１のＤ又はＤ’方向に押しただけでは、係止用突起１０３が凸状部１０７に引っかかり、閂１０４を図１のＤ・Ｄ方向には移動させることができないこととなる。
【００２５】
第一の壁部材１０１には、第二の壁部材１０２が形成されている方向と同じ方向、図１ではＡ方向に凸となるように、軸部材１０９が設けられている。
【００２６】
この軸部材１０９を設ける位置については、閂１０４と重ならない位置であって、閂１０４を移動させる方向、即ち、図１ではＤ・Ｄ’方向の延長線上ではない所定の位置に設ける必要がある。
【００２７】
即ち、閂１０４の移動方向（図１のＤ・Ｄ’方向）の延長線上に軸部材１０９を設けてしまうと、この軸部材１０９を軸にして後述する回動部材１１０を回転させて、この回動部材１１０に設けられている回転用突起１１１を閂１０４に引っ掛けても、回動部材１１０の回転を閂１０４の移動方向（図１のＤ・Ｄ’）とは直交する方向への直線運動に変換することとなってしまうからである。
【００２８】
軸部材１０９には、回動部材１１０が軸部材１０９に対して回動自在に取り付けられている。
【００２９】
この回動部材１１０には、回転用突起１１１が設けられている。
【００３０】
この回転用突起１１１については、閂１０４に引っ掛ける必要から、閂１０４の方に対して凸となるように設ける必要がある。
【００３１】
なお、閂１０４には、この回転用突起１１１が引っかかりやすいように回転用突起用凹部１１２が設けられている。
【００３２】
回動部材１１０には、一方の端面にこの回動部材１１０に嵌合する回動部材用嵌合部１１５を有し、他方の端面には鍵穴１１４が形成されている連結部材１１３が取り付けられている。
【００３３】
従って、この連結部材１１３に設けられている鍵穴１１４に鍵１１６を差し込み、連結部材１１３を回転させることにより、この連結部材１１３が取り付けられている回動部材１１０も回転させることができるようになる。
【００３４】
なお、回動部材用嵌合部１１５については、これを嵌め込む回動部材１１０の形状に合わせて形成する必要がある。
【００３５】
例えば、本実施形態では、回動部材１１０を横断面が円形で、この円形の中心部から一方向に凸となるように回転用突起部１１１が設けられているため、連結部材１１３の回動部材用嵌合部１１５ａは、円形の凹部の壁面の一部に回転用突起部１１１を嵌め込むことができる切欠１１５ａを形成して、回動部材１１０に嵌合することができるようにしている。
【００３６】
以上のように構成されている本発明の実施形態に係る鍵構造１００は以下のように動作する。
【００３７】
まず、回動部材１１０に設けられている回転用突起１１１が第二の壁部材１０２側にないとする。
【００３８】
連結部材１１３の鍵穴１１４に鍵１１６を差し込み、回動部材１１０に設けられている回転用突起１１１が第二の壁部材１０２側の方向に、即ち、図１のＥ方向に行くように連結部材１１３を回転させる。
【００３９】
連結部材１１３を回転させると、連結部材１１３は回動部材１１０に嵌合されているため、回動部材１１０もＥ方向に回転する。
【００４０】
回動部材１１０がＥ方向に回転すると、回動部材１１０に設けられている回転用突起１１１もＥ方向に回転し、このとき、閂１０４に設けられている回転用突起用凹部１１２に回転用突起１１１が引っかかり、回転用突起１１１がＥ方向に回転することによって、閂１０４は、Ｂ方向とは反対の方向、即ち、Ｂ’方向に押されるとともに、Ｄ方向にも押されることとなる。
【００４１】
このとき、閂１０４がＢ’方向に押されることにより、凸状部１０７に引っかかっている係止用突起１０３が外れ、閂１０４をＤ方向に移動させることができるようになる。
【００４２】
閂１０４がＤ方向に移動することにより、第二の壁部材１０２に設けられている閂用貫通孔１０２ａを介して、閂１０４が第二の壁部材１０２よりも突出した位置にでてくることになる。
【００４３】
一方、鍵１１６を連結部材１１３の鍵穴１１４に挿入して、Ｅ方向とは反対のＥ’方向に回転させると、連結部材１１３に嵌合している回動部材１１０も回転し、回動部材１１０に設けられている回転用突起１１１もＥ’方向に回転することとなる。
【００４４】
回転用突起１１１がＥ’方向に回転することにより、閂１０４は、Ｂ’方向に押されるとともに、Ｄ’方向にも押されることとなる。
【００４５】
このとき、閂１０４がＢ’方向に押されることで凸状部１０７に引っかかっている係止用突起１０３がはずれ、閂１０４をＤ’方向に移動させることができるようになる。
【００４６】
閂１０４がＤ’方向に移動することにより、第二の壁部材１０２よりも突出した位置にあった閂１０４が第二の壁部材１０２よりも突出しない位置にまで引っ込むことになる。
【００４７】
以上のように鍵１１６を回転させることにより閂１０４を第二の壁部材１０２から出し入れすることができるため、例えば、この鍵構造１００をタンスの引き出しに取り付け、ダンス本体の第二の壁部材１０２に対向する位置に閂１０４を挿入するための穴を設けておくことにより、この引き出しをロックしておくことができるようになる。
【００４８】
以上のような構成の鍵構造１００では、連結部材１１３を取り替えることで、鍵構造１００全体を取り替えることなく、連結部材の鍵穴１１４に挿入する鍵１１６を取り替えることができるようになる。
【００４９】
図２は、本発明の第二の実施形態に係る鍵構造２００の分解斜視図である。
【００５０】
本発明の第一の実施形態に係る鍵構造１００が回動部材１１０に回転用突起１１１を取り付け、この回動部材１１０に連結部材１１３を嵌合させたのに対して、本発明の第二の実施形態に係る鍵構造２００では、連結部材２１３自体に回転用突起２１１を設けて、連結部材２１３に軸部材用嵌合部２１７を形成し軸部材１０９に対して連結部材２１３自体が回動自在となるようにしている他は、鍵構造１００と同様の構成であり、また、鍵構造１００と同様に動作する。
【００５１】
なお、軸部材用嵌合部２１７については、軸部材１０９の形状・大きさに合わせて形成する必要があり、例えば、本実施形態では、軸部材１０９を嵌め込むことができる大きさの凹部を形成している。
【００５２】
以上のような構成の鍵構造２００でも、連結部材２１３を取り替えることで、鍵構造２００全体を取り替えることなく、鍵１１６を取り替えることができるようになる。
【００５３】
【発明の効果】
本発明に係る鍵構造を以上のように構成したので、連結部材に設けられている鍵穴に合う鍵でなければ容易に開けることができず、また、連結部材取り替えることで容易に鍵を取り替えることができるようになる。
【図面の簡単な説明】
【図１】第一の実施形態に係る鍵構造１００の分解斜視図。
【図２】第二の実施形態に係る鍵構造２００の分解斜視図。
【図３】従来の鍵構造３００を表す分解斜視図。
【符号の説明】
１００、２００　鍵構造
１０１　第一の壁部材
１０２　第二の壁部材
１０４　閂
１０９　軸部材
１１０　回動部材
１１１、２１１　回転用突起
１１２　回転用突起用凹部
１１３、２１３　連結部材
１１４、２１４　鍵穴
１１５　回動部材用嵌合部
１１６　鍵
１１７　軸部材用嵌合部
【図１】
2004124463.tif 000003
【図２】
2004124463.tif 000004
【図３】
2004124463.tif 000005